(57)【要約】【課題】より多くの固定対象物に使用可能であり、利便性の高い鋲および接続片を提供する。【解決手段】鋲１は、基部２１および基部２１から突出する針２２を有する鋲本体２と、基部２１と磁気的に吸着可能な吸着部３１および針２２と接続可能な接続部３２を有する接続片３と、を備えている。また、鋲１は、基部２１と吸着部３１とが吸着する第１接続状態と、針２２と接続部３２とが接続される第２接続状態とを取り得る。また、基部２１には磁石２３が設けられており、吸着部３１には磁石２３と吸着可能な磁石吸着部３３が設けられている。【選択図】図１
2018130940.tif 000002
【特許請求の範囲】
【請求項１】
基部および前記基部から突出する針を有する鋲本体と、
前記基部と磁気的に吸着可能な吸着部および前記針と接続可能な接続部を有する接続片と、を備えることを特徴とする鋲。
【請求項２】
前記基部と前記吸着部とが吸着する第１接続状態と、
前記針と前記接続部とが接続される第２接続状態とを取り得る請求項１に記載の鋲。
【請求項３】
前記第１接続状態では、
前記針は、前記基部の前記吸着部と反対側に位置し、
前記接続部は、前記吸着部の前記基部と反対側に位置している請求項２に記載の鋲。
【請求項４】
前記第２接続状態では、
前記基部および前記吸着部は、前記接続部を介して対向配置されている請求項２または３に記載の鋲。
【請求項５】
前記基部および前記吸着部の一方に設けられた磁石と、他方に設けられ、前記磁石と吸着可能な磁石吸着部とを有する請求項１ないし４のいずれか１項に記載の鋲。
【請求項６】
前記基部および前記吸着部に設けられた磁石を有する請求項１ないし４のいずれか１項に記載の鋲。
【請求項７】
前記接続部は、前記針が挿通される挿通穴を有し、
前記挿通穴に前記針が挿通されることで、前記針と前記接続部とが接続される請求項１ないし６のいずれか１項に記載の鋲。
【請求項８】
前記接続部に前記針が穿刺されることで、前記針と前記接続部とが接続される請求項１ないし６のいずれか１項に記載の鋲。
【請求項９】
基部および前記基部から突出する針を有する鋲本体に接続される接続片であって、
前記基部と磁気的に吸着可能な吸着部および前記針と接続可能な接続部を有することを特徴とする接続片。
【発明の詳細な説明】
【技術分野】
【０００１】
本発明は、鋲および接続片に関する。
【背景技術】
【０００２】
従来から、鋲（特に画鋲）として、特許文献１に記載の画鋲が知られている。特許文献１に記載の画鋲は、永久磁石を備えた画鋲本体と、画鋲本体に磁気吸着する吸着片とを有している。そして、画鋲本体の針を突き刺すことで第１の懸吊り物を壁、柱、棚、ボード等の固定対象物に押し留め、さらに、画鋲本体と吸着片との間に第２の懸吊り物を挟み込むことで、第２の懸吊り物を懸吊ることができる。
【先行技術文献】
【特許文献】
【０００３】
【特許文献１】実開平５−６０８９７号公報
【発明の概要】
【発明が解決しようとする課題】
【０００４】
しかしながら、特許文献１に記載の画鋲は、固定対象物に画鋲本体の針を刺して使用されるため、針を刺す面が石膏、木材、コルク材等の比較的柔らかい材質で構成されている必要がある。すなわち、針を刺す面が鉄、ステンレススチール等の比較的硬い材質で構成されている場合には、固定対象物に針を刺すことができず、使用することができない。このように、特許文献１に記載の画鋲は、使用可能な固定対象物が限られており、利便性が悪いという問題を有する。
【０００５】
本発明の目的は、より多くの固定対象物に使用可能であり、利便性の高い鋲および接続片を提供することにある。
【課題を解決するための手段】
【０００６】
このような目的は、下記（１）および（９）の本発明により達成される。
（１）  基部および前記基部から突出する針を有する鋲本体と、
前記基部と磁気的に吸着可能な吸着部および前記針と接続可能な接続部を有する接続片と、を備えることを特徴とする鋲。
【０００７】
（２）  前記基部と前記吸着部とが吸着する第１接続状態と、
前記針と前記接続部とが接続される第２接続状態とを取り得る上記（１）に記載の鋲。
【０００８】
（３）  前記第１接続状態では、
前記針は、前記基部の前記吸着部と反対側に位置し、
前記接続部は、前記吸着部の前記基部と反対側に位置している上記（２）に記載の鋲。
【０００９】
（４）  前記第２接続状態では、
前記基部および前記吸着部は、前記接続部を介して対向配置されている上記（２）または（３）に記載の鋲。
【００１０】
（５）  前記基部および前記吸着部の一方に設けられた磁石と、他方に設けられ、前記磁石と吸着可能な磁石吸着部とを有する上記（１）ないし（４）のいずれかに記載の鋲。
【００１１】
（６）  前記基部および前記吸着部に設けられた磁石を有する上記（１）ないし（４）のいずれかに記載の鋲。
【００１２】
（７）  前記接続部は、前記針が挿通される挿通穴を有し、
前記挿通穴に前記針が挿通されることで、前記針と前記接続部とが接続される上記（１）ないし（６）のいずれかに記載の鋲。
【００１３】
（８）  前記接続部に前記針が穿刺されることで、前記針と前記接続部とが接続される上記（１）ないし（６）のいずれかに記載の鋲。
【００１４】
（９）  基部および前記基部から突出する針を有する鋲本体に接続される接続片であって、
前記基部と磁気的に吸着可能な吸着部および前記針と接続可能な接続部を有することを特徴とする接続片。
【発明の効果】
【００１５】
本発明の鋲によれば、より多くの固定対象物に使用可能であり、高い利便性を発揮することができる。また、本発明の接続片によれば、鋲本体を組み合わせることで、より多くの固定対象物に使用可能であり、高い利便性を発揮することができる。
【図面の簡単な説明】
【００１６】
【図１】本発明の第１実施形態に係る鋲を示す斜視図である。
【図２】図１に示す鋲の断面図である。
【図３】図１に示す鋲の変形例を示す断面図である。
【図４】図１に示す鋲の変形例を示す断面図である。
【図５】図１に示す鋲の変形例を示す断面図である。
【図６】鋲本体と接続片とが接続した状態を示す斜視図である。
【図７】鋲本体と接続片とが接続した状態を示す斜視図である。
【図８】図１に示す鋲の変形例を示す断面図である。
【図９】図１に示す鋲の変形例を示す断面図である。
【図１０】図１に示す鋲の第１使用法用を示す断面図である。
【図１１】図１に示す鋲の第１使用法用を示す断面図である。
【図１２】図１に示す鋲の第２使用法用を示す断面図である。
【図１３】図１に示す鋲の第２使用法用を示す断面図である。
【図１４】図１に示す鋲の変形例を示す斜視図である。
【図１５】図１４に示す鋲の第２使用法用を示す断面図である。
【図１６】図１４に示す鋲の第２使用法用を示す断面図である。
【図１７】図１に示す鋲の変形例を示す斜視図である。
【図１８】本発明の第２実施形態に係る鋲を示す斜視図である。
【図１９】図１８に示す鋲の断面図である。
【図２０】本発明の第３実施形態に係る鋲を示す斜視図である。
【図２１】図２０に示す鋲の断面図である。
【図２２】本発明の第４実施形態に係る鋲を示す斜視図である。
【発明を実施するための形態】
【００１７】
以下、本発明の鋲および接続片を添付図面に示す実施形態に基づいて詳細に説明する。
＜第１実施形態＞
まず、本発明の第１実施形態に係る鋲および接続片について説明する。
【００１８】
図１は、本発明の第１実施形態に係る鋲を示す斜視図である。図２は、図１に示す鋲の断面図である。図３ないし図５は、それぞれ、図１に示す鋲の変形例を示す断面図である。図６および図７は、鋲本体と接続片とが接続した状態を示す斜視図である。図８および図９は、それぞれ、図１に示す鋲の変形例を示す断面図である。図１０および図１１は、それぞれ、図１に示す鋲の第１使用法用を示す断面図である。図１２および図１３は、それぞれ、図１に示す鋲の第２使用法用を示す断面図である。図１４は、図１に示す鋲の変形例を示す斜視図である。図１５および図１６は、それぞれ、図１４に示す鋲の第２使用法用を示す断面図である。図１７は、図１に示す鋲の変形例を示す斜視図である。
【００１９】
図１に示す鋲１は、特に画鋲（押しピン）として好適に利用することができる。図１に示すように、鋲１は、鋲本体２と、鋲本体２に磁気的に吸着可能な接続片３とを有している。
鋲本体２は、基部２１および基部２１から突出する針２２を有している。
【００２０】
図１に示すように、基部２１は、平面視形状が円形の平板状をなしている。ただし、基部２１の形状としては、特に限定されない。また、図１および図２に示すように、基部２１の表面２１１には凹部２１２が形成されており、凹部２１２には磁石２３が設けられている。磁石２３としては、特に限定されず、例えば、ネオジム磁石、フェライト磁石、サマリウムコバルト磁石、アルニコ磁石、ボンド磁石等の永久磁石を好適に用いることができる。
【００２１】
なお、基部２１への磁石２３の配設方法は、特に限定されず、例えば、図３に示すように、磁石２３を基部２１内に埋設してもよいし、図４に示すように、磁石２３を基部２１に接着剤等の接合材（図示せず）を介して接合してもよい。また、例えば、基部２１自体が磁石で構成されている場合には磁石２３を省略してもよい。
【００２２】
図２に示すように、針２２は、基部２１の裏面２１３から突出して設けられている。また、針２２は、先端部が先細りして尖っている以外は、その延在方向に沿って外径Ｒがほぼ一定である。ただし、針２２の形状は、特に限定されない。また、本実施形態では、針２２が１本であるが、針２２の数は、特に限定されず、２本以上であってもよい。
【００２３】
また、針２２は、基部２１と一体的に形成されている。基部２１および針２２の構成材料としては、特に限定されず、例えば、銅、鉄、真鍮、ステンレススチール等の各種金属材料（合金を含む）、アルミナ、チタニア、ジルコニア等の各種セラミック等を用いることができる。また、例えば、防錆処理として必要に応じて表面にめっきが施されていてもよい。
【００２４】
なお、基部２１と針２２とが別体として構成され、針２２が基部２１に植設されていてもよい。この場合、例えば、基部２１をポリ塩化ビニル、ポリスチレン、ポリイミド、ポリカーボネート、アクリル系樹脂、シリコーン系樹脂等の各種樹脂材料で構成し、針２２を前述した各種金属材料、各種セラミックで構成することができる。
【００２５】
一方、接続片３は、鋲本体２の基部２１と磁気的に吸着可能な吸着部３１および鋲本体２の針２２と接続可能な接続部３２を有している。このような接続片３は、図６に示すようにして鋲本体２に接続することもできるし、図７に示すようにして鋲本体２に接続することもできる。そのため、後述する使用方法でも説明するように、鋲１は、より多くの固定対象物Ｘに使用可能であり、高い利便性を発揮することができる。
【００２６】
図６は、基部２１と吸着部３１とが吸着した第１接続状態を示している。このような第１接続状態では、針２２は、基部２１の吸着部３１と反対側に位置し、接続部３２は、吸着部３１の基部２１と反対側に位置している。これにより、針２２および接続部３２に邪魔されることなく、基部２１と吸着部３１とを吸着させることができる。
【００２７】
図７は、針２２と接続部３２とが接続された第２接続状態を示している。このような第２接続状態では、基部２１および吸着部３１は、接続部３２を介して対向配置されている。これにより、基部２１および吸着部３１に邪魔されることなく、針２２と接続部３２とを接続することができる。
【００２８】
また、図１に示すように、吸着部３１は、平面視形状が円形の平板状をなしている。ただし、吸着部３１の形状としては、特に限定されない。また、図２に示すように、吸着部３１の裏面３１１には凹部３１２が形成され、凹部３１２には磁石２３に吸着可能な磁石吸着部３３が設けられている。そのため、磁石吸着部３３と磁石２３とを吸着させることで、図６に示すように、吸着部３１と基部２１とを向い合せた状態で、接続片３と鋲本体２とを接続することができる。このように、基部２１に磁石２３を設け、吸着部３１に磁石吸着部３３を設けることで、基部２１と吸着部３１とを簡単な構成で接続することができる。
【００２９】
なお、磁石吸着部３３としては、磁石２３に吸着可能であれば、特に限定されず、例えば、鉄（Ｆｅ）、コバルト（Ｃｏ）、ニッケル（Ｎｉ）等の強磁性体金属材料、これら強磁性体金属を含む合金（４００系ステンレススチール、パーマロイ等）、酸化物（マグネタイト、マグヘマイト等の酸化鉄等）等を用いることができる。
【００３０】
なお、吸着部３１への磁石吸着部３３の配設方法は、特に限定されず、例えば、図３に示すように、磁石吸着部３３を吸着部３１内に埋設してもよいし、図４に示すように、磁石吸着部３３を吸着部３１に接着剤等の接合材（図示せず）を介して接合してもよい。また、例えば、吸着部３１自体が磁石２３に吸着可能である場合には、磁石吸着部３３を省略してもよい。
【００３１】
図１および図２に示すように、接続部３２は、吸着部３１の表面３１３から突出して設けられている。この接続部３２は、針２２と接続する機能の他に、把持部としての機能を有する。図２に示すように、接続部３２は、縦断面視（中心軸Ｏに沿う断面視）において、その幅Ｗが突出方向に向けて漸増するテーパー状をなす部分を有している。特に、本実施形態では、接続部３２は、略円形の横断面形状を有し、その外径が突出方向に向けて一定の増加率で漸増している。すなわち、接続部３２は、円錐台形をなし、その頂面において吸着部３１の表面３１３に接続されている。接続部３２をこのような形状とすることで、接続部３２に指が引っ掛かり易くなり、接続部３２を把持し易くなる。したがって、接続片３の扱いが容易となる。ただし、接続部３２の形状としては、特に限定されず、例えば、球状であってもよいし、柱状であってもよい。また、図５に示すように、吸着部３１と同じ平面視形状、すなわち、吸着部３１と接続部３２とが共に同じ円柱内に含まれている形状であってもよい。
【００３２】
また、図１および図２に示すように、接続部３２は、その先端面３２１に開放する挿通穴３２２を有している。この挿通穴３２２は、針２２が挿通される穴である。挿通穴３２２に針２２を挿通して、これらを係合させることで、図７に示すように、接続部３２を介して吸着部３１と基部２１とを対向させた状態で、接続片３と鋲本体２とを接続することができる。
【００３３】
また、図２に示すように、挿通穴３２２は、その延在方向に沿って内径ｒがほぼ一定である。そして、挿通穴３２２の内径ｒは、針２２の外径Ｒと等しいか、外径Ｒよりも若干小さい。これより、挿通穴３２２と針２２との間の摩擦抵抗を高めることができ、これらをより確実に係合させることができる。よって、接続片３と鋲本体２とが接続した状態をより確実に維持することができる。ただし、挿通穴３２２の形状としては、特に限定されず、針２２の形状に合わせて適宜設定することができる。例えば、図８に示すように、挿通穴３２２の延在方向の一部が縮径し、この縮径した部分３２２’が針２２と係合する構成であってもよい。また、図９に示すように、挿通穴３２２の開口部に、内径ｒが先端面３２１に向けて漸増するテーパー状の誘導部３２２ａを設けてもよい。このような誘導部３２２ａを設けることで、針２２を挿通穴３２２に誘導し易くなり、接続片３と鋲本体２とをより容易に接続することができる。
【００３４】
また、図２に示すように、挿通穴３２２の長さＬ１としては、特に限定されないが、例えば、針２２の長さＬ２とほぼ等しいか、長さＬ２よりも長いことが好ましい。これにより、図７に示すように接続片３と鋲本体２とを接続させた場合に、接続部３２の先端面３２１と基部２１の裏面２１３とを接触させることができる。そのため、後述するように、先端面３２１と裏面２１３との間で、懸吊り物を挟持することができ、懸吊り物をより安定して懸け吊ることができる。ただし、挿通穴３２２の長さＬ１は、特に限定されず、針２２の長さＬ２よりも短くてもよい。
【００３５】
このような接続部３２は、吸着部３１と一体的に形成されている。吸着部３１および接続部３２の構成材料としては、特に限定されず、例えば、銅、鉄、真鍮、ステンレススチール等の各種金属材料（合金等を含む）、アルミナ、チタニア、ジルコニア等の各種セラミック、ポリスチレン、ポリイミド、ポリカーボネート、アクリル系樹脂、シリコーン系樹脂等の各種樹脂材料等を用いることができる。なお、吸着部３１と接続部３２とが別体として構成され、接続部３２が接着、嵌合、螺号、溶着等の各種接続方法によって吸着部３１に接続されていてもよい。この場合は、吸着部３１と接続部３２とで、構成材料を異ならせることもできる（詳しくは、後述する第２実施形態参照）。
【００３６】
以上、鋲１（鋲本体２および接続片３）の構成について説明した。次に、鋲１の使用方法について説明する。なお、以下では、説明の便宜上、鋲１でポスターＰ（第１の懸吊り物）および付箋Ｍ（第２の懸吊り物）を懸吊る場合について説明する。ただし、第１の懸吊り物および第２の懸吊り物については、特に限定されない。
【００３７】
まず、ポスターＰおよび付箋Ｍを懸吊る固定対象物Ｘ（例えば、壁、柱、棚、ボード等）が石膏、木材、コルク材等のように比較的柔らかく、鋲本体２の針２２を刺すことができる場合の使用方法（第１使用方法）について説明する。この場合、まず、図１０に示すように、ポスターＰを針２２で突き刺し、さらに針２２を固定対象物Ｘに刺して、鋲本体２を固定対象物Ｘに固定する。これにより、ポスターＰを固定対象物Ｘに留めることができる。この状態において、さらに、図１１に示すように、付箋Ｍを間に挟んで、接続片３の吸着部３１を鋲本体２の基部２１に吸着により接続する。これにより、付箋Ｍを基部２１と吸着部３１とで挟持して固定対象物Ｘに留めることができる。
【００３８】
次に、ポスターＰおよび付箋Ｍを懸吊る固定対象物Ｘ（例えば、壁、柱、棚、ボード等）が硬く、鋲本体２の針２２を刺すことができない場合の使用方法（第２使用方法）について説明する。この場合は、固定対象物Ｘが基部２１（磁石２３）に吸着可能であることが前提となる。このような固定対象物Ｘとしては、例えば、ステンレススチール製の棚等が挙げられる。まず、図１２に示すように、ポスターＰを間に挟んで、鋲本体２の基部２１を固定対象物Ｘに取り付ける。これにより、ポスターＰを基部２１と固定対象物Ｘとで挟持して固定対象物Ｘに留めることができる。さらに、図１３に示すように、付箋Ｍを針２２に突き刺し、その上から接続片３の接続部３２を鋲本体２の針２２に接続する。これにより、付箋Ｍを針２２で貫くと共に、接続部３２と基部２１とで挟持して固定対象物Ｘに留めることができる。
【００３９】
以上のように、鋲１は、固定対象物Ｘに針２２を刺すことができる場合の使用方法（第１使用方法）に加えて、固定対象物Ｘに針２２を刺すことができない場合の使用方法（第２使用方法）を有している。そのため、鋲１は、より多くの固定対象物Ｘに使用可能であり、高い利便性を発揮することができる。
【００４０】
以上、本実施形態の鋲１について説明した。なお、鋲１の構成としては、特に限定されない。例えば、本実施形態では、鋲本体２に磁石２３が設けられており、接続片３に磁石に吸着可能な磁石吸着部３３が設けられていたが、この逆であってもよい。すなわち、図１４に示すように、接続片３の吸着部３１に磁石３４（磁石２３と同様）が設けられ、鋲本体２の基部２１に磁石３４と吸着する磁石吸着部２４（磁石吸着部３３と同様）が設けられていてもよい。このように、基部２１に磁石吸着部２４を設け、吸着部３１に磁石３４を設けることで、基部２１と吸着部３１とを簡単な構成で接続することができる。このような構成によっても、本実施形態と同様の効果を発揮することができる。なお、この場合、第１使用方法については本実施形態と同じであるが、第２使用方法については本実施形態と若干異なる。そのため、以下に、第２使用方法について説明する。
【００４１】
まず、図１５に示すように、ポスターＰを間に挟んで、接続片３の吸着部３１を固定対象物Ｘに取り付ける。これにより、ポスターＰを吸着部３１と固定対象物Ｘとで挟持して固定対象物Ｘに留めることができる。さらに、図１６に示すように、付箋Ｍを針２２で突き刺し、針２２を挿通穴３２２に係合させて、鋲本体２と接続片３とを接続する。これにより、付箋Ｍを、針２２で貫くと共に、接続部３２と基部２１とで挟持して固定対象物Ｘに留めることができる。
【００４２】
また、鋲本体２および接続片３の両方に磁石が設けられていてもよい。すなわち、図１７に示すように、鋲本体２の基部２１に磁石２３が設けられ、接続片３の吸着部３１に磁石３４が設けられていてもよい。この場合は、磁石２３、３４が互いに反発しないように、基部２１と吸着部３１とを図１７に示すように向い合せたときに、互いに異なる磁極が対向するように磁石２３、３４を配置する（例えば、磁石２３、２４は、それぞれ、その厚さ方向に着磁されている）。このような構成によっても、本実施形態と同様の効果を発揮することができる。また、図１７に示す構成によれば、第２使用法用について、図１２および図１３に示す使用方法と図１５および図１６に示す使用方法の両方を用いることができる。そのため、特に利便性の高い鋲１となる。
【００４３】
＜第２実施形態＞
次に、本発明の第２実施形態に係る鋲および接続片について説明する。
【００４４】
図１８は、本発明の第２実施形態に係る鋲を示す斜視図である。図１９は、図１８に示す鋲の断面図である。
【００４５】
以下、第２実施形態の鋲について前述した第１実施形態との相違点を中心に説明し、同様の事項については、その説明を省略する。
【００４６】
第２実施形態の鋲は、主に、接続片の構成が異なること以外は、前述した第１実施形態の鋲と同様である。なお、図１８および図１９では、前述した実施形態と同様の構成には同一符号を付してある。
【００４７】
図１８に示すように、本実施形態の接続片３では、前述した第１実施形態では存在していた挿通穴３２２が接続部３２から省略されている。そして、その代わりに、接続部３２は、針２２が穿刺可能な程度に軟質な材料で構成されている。そのため、本実施形態の鋲１では、図１９に示すように、針２２を接続部３２に穿刺することで、接続片３と鋲本体２とを接続するように構成されている。接続部３２の構成材料としては、特に限定されないが、例えば、木材、竹材、コルク材、各種樹脂材料、各種ゴム材料等を用いることができる。これらの中でも、特に、弾性を有する材料（樹脂材料、ゴム材料等）を用いることが好ましい。これにより、接続部３２は、針２２が穿刺されることで形成される穿刺穴をその復元力によって閉じる（塞ぐ）ことができる。そのため、繰り返し使用されることによる接続部３２の劣化を低減することができる。
【００４８】
このような第２実施形態によっても、前述した第１実施形態と同様の効果を発揮することができる。
【００４９】
＜第３実施形態＞
次に、本発明の第３実施形態に係る鋲および接続片について説明する。
【００５０】
図２０は、本発明の第３実施形態に係る鋲を示す斜視図である。図２１は、図２０に示す鋲の断面図である。
【００５１】
以下、第３実施形態の鋲について前述した第１実施形態との相違点を中心に説明し、同様の事項については、その説明を省略する。
【００５２】
第３実施形態の鋲は、主に、接続片の構成が異なること以外は、前述した第１実施形態の鋲と同様である。なお、図２０および図２１では、前述した実施形態と同様の構成には同一符号を付してある。
【００５３】
図２０および図２１に示すように、本実施形態の接続片３では、挿通穴３２２の内径ｒが針２２の外径Ｒよりも大きい。また、接続部３２の先端部には、磁石２３に吸着可能な磁石吸着部３５が設けられている。なお、磁石吸着部３５は、磁石吸着部３３と同様の構成や永久磁石とすることができる。
【００５４】
このような構成の鋲１では、図２１に示すように、挿通穴３２２に針２２を挿通した状態で磁石吸着部３５と磁石２３とが吸着することで、接続片３と鋲本体２とが接続される。このような構成によれば、例えば、前述した第１実施形態の構成と比較して、針２２を挿通穴３２２に穿刺する際の抵抗を低減させることができるため、接続片３と鋲本体２との接続がより容易となる。なお、接続部３２自体が磁石２３に吸着可能である場合は、磁石吸着部３５を省略することができる。
【００５５】
このような第３実施形態によっても、前述した第１実施形態と同様の効果を発揮することができる。
【００５６】
＜第４実施形態＞
次に、本発明の第４実施形態に係る鋲および接続片について説明する。
図２２は、本発明の第４実施形態に係る鋲を示す斜視図である。
【００５７】
以下、第４実施形態の鋲について前述した第１実施形態との相違点を中心に説明し、同様の事項については、その説明を省略する。
【００５８】
第４実施形態の鋲は、主に、接続片の構成が異なること以外は、前述した第１実施形態の鋲と同様である。なお、図２２では、前述した実施形態と同様の構成には同一符号を付してある。
【００５９】
図２２に示すように、本実施形態の接続片３では、接続部３２に略十字の切れ込みが形成されており、接続部３２がその周方向に並ぶ４つの分割片３２ａ、３２ｂ、３２ｃ、３２ｄに分割されている。また、分割片３２ａ、３２ｂ、３２ｃ、３２ｄは、それぞれ、弾性変形可能となっている。このような構成の接続片３では、針２２を分割片３２ａ、３２ｂ、３２ｃ、３２ｄの中心部分に挿通するようになっており、接続部３２に針２２が挿通されると、４つの分割片３２ａ、３２ｂ、３２ｃ、３２ｄが弾性変形し、それにより生じる復元力によって針２２と係合することができる。
【００６０】
このような第４実施形態によっても、前述した第１実施形態と同様の効果を発揮することができる。
【００６１】
以上、図示の各実施形態に基づいて本発明の鋲および接続片を説明したが、本発明は、これらに限定されるものでない。例えば、本発明の鋲および接続片では、各部の構成は、同様の機能を発揮する任意の構成のものに置換することができ、また、任意の構成を付加することもできる。また、前述した複数の実施形態を適宜組み合わせることもできる。
【符号の説明】
【００６２】
１          鋲
２          鋲本体
２１        基部
２１１      表面
２１２      凹部
２１３      裏面
２２        針
２３        磁石
２４        磁石吸着部
３          接続片
３１        吸着部
３１１      裏面
３１２      凹部
３１３      表面
３２        接続部
３２ａ      分割片
３２ｂ      分割片
３２ｃ      分割片
３２ｄ      分割片
３２１      先端面
３２２      挿通穴
３２２’    部分
３２２ａ    誘導部
３３        磁石吸着部
３４        磁石
３５        磁石吸着部
Ｍ          付箋
Ｏ          中心軸
Ｐ          ポスター
Ｒ          外径
ｒ          内径
Ｘ          固定対象物
【図１】
2018130940.tif 000003
【図２】
2018130940.tif 000004
【図３】
2018130940.tif 000005
【図４】
2018130940.tif 000006
【図５】
2018130940.tif 000007
【図６】
2018130940.tif 000008
【図７】
2018130940.tif 000009
【図８】
2018130940.tif 000010
【図９】
2018130940.tif 000011
【図１０】
2018130940.tif 000012
【図１１】
2018130940.tif 000013
【図１２】
2018130940.tif 000014
【図１３】
2018130940.tif 000015
【図１４】
2018130940.tif 000016
【図１５】
2018130940.tif 000017
【図１６】
2018130940.tif 000018
【図１７】
2018130940.tif 000019
【図１８】
2018130940.tif 000020
【図１９】
2018130940.tif 000021
【図２０】
2018130940.tif 000022
【図２１】
2018130940.tif 000023
【図２２】
2018130940.tif 000024